(57)【要約】【課題】骨盤を生体内における配置と同様の配置とすることによって、白骨化した死体であっても、性別を判定することが可能な骨盤観察用支持装置ならびにこれを用いた死体検案ならびに法医解剖における個人識別方法を提供する。【解決手段】骨盤観察用支持装置１は、骨盤の形状を観察するため、骨盤を両側から挟持する挟持部として機能する第１部材１０と第２部材２０とを備えている。第１部材１０および第２部材２０は、基台部３０にそれぞれ立設されている。【選択図】図１
2007325730.tif 000002
【特許請求の範囲】
【請求項１】
骨盤の形状を観察するため、前記骨盤を両側から挟持する挟持部を備えた骨盤観察用支持装置。
【請求項２】
前記挟持部は、第１部材と、当該第１部材よりも長さが短い第２部材とを有するものである請求項１記載の骨盤観察用支持装置。
【請求項３】
前記第１部材は、前記骨盤の前面を観察する際に寛骨の坐骨に当接し、前記骨盤の上面を観察する際に前記寛骨の腸骨に当接する部材であり、
前記第２部材は、前記骨盤の前面を観察する際に前記寛骨の腸骨に当接し、前記骨盤の上面を観察する際に前記寛骨の坐骨に当接する部材である請求項２記載の骨盤観察用支持装置。
【請求項４】
前記第１部材ならびに前記第２部材それぞれの鉛直方向に対する角度を調整する調整部を備えた請求項２または３に記載の骨盤観察用支持装置。
【請求項５】
前記調整部は、前記第１部材間の距離ならびに前記第２部材間の距離を調整するものである請求項４に記載の骨盤観察用支持装置。
【請求項６】
前記調整部は、前記第１部材ならびに前記第２部材それぞれの鉛直方向の高さを調整するものである請求項４または５に記載の骨盤観察用支持装置。
【請求項７】
前記第１部材および前記第２部材を立設する基台部を備え、
前記調整部は、把持部を備えた固定部材を有するとともに、当該固定部材は、前記把持部の回動により前記第１部材ならびに前記第２部材を前記基台部に締め付け固定したり緩めたりするものである請求項４から６のいずれかに記載の骨盤観察用支持装置。
【請求項８】
骨盤を両側から挟持する挟持部を備えた骨盤観察用支持装置の前記挟持部に骨盤を挟持させ、前記骨盤を生体内における配置と同様の配置とすることを特徴とする死体検案ならびに法医解剖における個人識別方法。
【発明の詳細な説明】
【技術分野】
【０００１】
本発明は、白骨死体の死体検案と法医解剖において、骨盤を観察して性別を判定するための骨盤観察用支持装置およびこれを用いた死体検案ならびに法医解剖における個人識別方法に関する。
【背景技術】
【０００２】
事件、事故、自殺などで死亡した人々には、医師法および刑事訴訟法に基づく死体検案が行われ、必要に応じて刑事訴訟法または死体解剖保存法に基づいた法医解剖が行われる。
【０００３】
死体検案と法医解剖では、白骨死体を対象とすることがある。白骨死体では、個人識別のために、骨の形状から、性別、年齢、身長などを判定する必要がある。このうち、性別の判定は、個人識別の最も基本となるところであり、頭蓋骨や骨盤の形状の違いを指標としている（非特許文献１，２、参照。）。非特許文献１，２に示すように、骨盤においては、骨盤上口や恥骨下角の形状に性差があるので、これに基づいて、医師は白骨死体の性別を識別する。男女の区別が判らないと、個人の特定は極めて困難となるので、性別判定が最も大切である。性別を判定した後に、骨の他の部位の性状や計測値から、年齢と身長を推定することとなる。
【０００４】
【非特許文献１】永野耐造，若杉長英、「現代の法医学」、金原出版株式会社、改訂第３版、１９９８年２月２７日発行、p.369-388
【非特許文献２】福島弘文、「法医学」、南山堂、第１版、２００２年４月９日発行、p.187-202
【発明の開示】
【発明が解決しようとする課題】
【０００５】
非特許文献１，２に記載されているように、骨盤において、性別は、骨盤上口や恥骨下角の形状を観察することによって判定される。しかしながら、白骨化した死体の骨盤は、左右の仙腸関節と恥骨結合が離れており、仙骨と左右の寛骨の計３つに分離しているため、骨盤上口や恥骨下角の形状の観察が困難である。
そこで、本発明では、骨盤を生体内における配置と同様の配置とすることによって、仙骨と寛骨がばらばらに分離した白骨化した死体であっても、性別を判定することが可能な骨盤観察用支持装置ならびにこれを用いた死体検案ならびに法医解剖における個人識別方法を提供することを目的とする。
【課題を解決するための手段】
【０００６】
上記課題を解決するため、本発明の骨盤観察用支持装置は、骨盤の形状を観察するため、骨盤を両側から挟持する挟持部を備えたことを特徴とする。
【０００７】
また、本発明の死体検案ならびに法医解剖における個人識別方法は、骨盤を両側から挟持する挟持部を備えた骨盤観察用支持装置の前記挟持部に骨盤を挟持させ、骨盤を生体内における配置と同様の配置とすることを特徴とする。
【０００８】
左右の寛骨の間に仙骨を挟んだ状態で、骨盤を挟持部に挟持させることによって、仙腸関節と恥骨結合とが生体内における骨盤の配置と同様の状態となり、骨盤の形状を正しく把握することができる。これにより、性別を正確に判定することができ、白骨化した死体であっても、個人の識別を正確に行うことができる。
【０００９】
また、本発明の骨盤観察用支持装置の挟持部は、第１部材と、この第１部材よりも長さが短い第２部材とを有することを特徴とする。
【００１０】
第１部材とこの第１部材よりも長さの短い第２部材とを備えることにより、骨盤を複数の支点により挟持することができるので、挟持された骨盤を安定した状態に保つことができる。
【００１１】
ここで、前記第１部材は、骨盤の前面を観察する際に寛骨の坐骨に当接し、骨盤の上面を観察する際に寛骨の腸骨に当接する部材であり、前記第２部材は、骨盤の前面を観察する際に寛骨の腸骨に当接し、骨盤の上面を観察する際に寛骨の坐骨に当接する部材である。
【００１２】
寛骨の坐骨を第１部材に当接させ、寛骨の腸骨を第２部材に当接させて骨盤の前面を観察することにより主に恥骨下角の形状を観察することができ、腸骨を第１部材に当接させ、坐骨を第２部材に当接させて骨盤の上面を観察することにより主に骨盤上口の形状を観察することができる。このように本発明によれば、異なる２つの視点から、骨盤の形状を把握することができる。これにより、性別を正確に判定することができる。
【００１３】
また、本発明の骨盤観察用支持装置は、前記第１部材ならびに前記第２部材それぞれの鉛直方向に対する角度を調整する調整部を備えたものである方が望ましい。
【００１４】
白骨化した死体の場合、左右の寛骨のうち、どちらか一方が欠損していることがあるが、本発明の骨盤観察用支持装置によれば、調整部を備えることにより、第１部材ならびに第２部材それぞれの鉛直方向に対する角度を調整することができるので、角度を動かして調整することで、第１部材または第２部材のどちらかで直接仙骨を支持することができる。従って、左右どちらかの寛骨が欠損している骨盤であっても、残りの寛骨と仙骨との間の仙腸関節を生体内における骨盤の配置と同様の状態に接合することができ、骨盤上口や恥骨下角の形状を正しく把握することができる。
【００１５】
また、前記調整部は、第１部材間の距離ならびに第２部材間の距離を調整したり、第１部材ならびに第２部材それぞれの鉛直方向の高さを調整したりするものである方が望ましい。
【００１６】
調整部によって、第１部材間の距離ならびに第２部材間の距離を調整したり、第１部材ならびに第２部材それぞれの鉛直方向の高さを調整したりすることができるので、第１部材および第２部材の可動範囲が広がり、１つの装置で、大きさや形状の異なる多様な骨盤に対応することができる。
【００１７】
また、本発明の骨盤観察用支持装置は、第１部材および第２部材を立設する基台部を備え、調整部は、把持部を備えた固定部材を有するとともに、固定部材は、把持部の回動により第１部材ならびに第２部材を基台部に締め付け固定したり緩めたりするものである方が望ましい。
【００１８】
把持部を備えた固定部材を設けることにより、把持部を回動させることで、第１部材ならびに第２部材を基台部に締め付け固定したり緩めたりすることができるので、使用者にとって操作が容易で作業における負担の少ない骨盤観察用支持装置とすることができる。
【発明の効果】
【００１９】
本発明の骨盤観察用支持装置によれば、骨盤を両側から挟持する挟持部を備えたことにより、左右の仙腸関節と恥骨結合とを生体内における骨盤の配置と同様の状態とすることができ、骨盤上口や恥骨下角の形状を正しく把握して、性別を正確に判定することができる。また、本発明の骨盤観察用支持装置に骨盤を挟持させることにより、死体検案ならびに法医解剖において使用者は両手が空いた状態で骨盤を観察することができるので、他人の手を煩わせることなく様々な角度から骨盤の写真を撮ることもでき、死体検案ならびに法医解剖における作業の幅が広がる。
【発明を実施するための最良の形態】
【００２０】
以下、本発明の実施の形態における骨盤観察用支持装置について図面を用いて説明する。図１は、本実施の形態における骨盤観察用支持装置の斜視図である。
【００２１】
図１に示すように、本実施の形態における骨盤観察用支持装置１は、左右の寛骨と仙骨から構成される骨盤を両側から挟持するものであり、挟持部を構成する第１部材１０および第２部材２０と、この第１部材１０および第２部材２０を立設する基台部３０とを備える。第１部材１０および第２部材２０ならびに基台部３０は、透明アクリル樹脂により形成されて、第１部材１０および第２部材２０は、基台部３０に着脱可能に取り付けられている。
【００２２】
第１部材１０は、長さ１４ｃｍ、幅２ｃｍ、厚さ０．５ｃｍの板材であり、基台部３０に取り付けられる基端側であって幅方向のほぼ中央部分に、長手方向に沿って形成された長孔１１を備えている。また、第２部材２０は、長さ５．５ｃｍ、幅２ｃｍ、厚さ０．５ｃｍの板材であり、幅方向のほぼ中央部分に長手方向に沿って形成された長孔２１を備えている。
【００２３】
基台部３０は、左右の側板４０と、側板４０間に配置され、左右の側板４０にほぼ直角に接続された第１連結板５０と、左右の側板４０の内側にそれぞれほぼ直角に接続された第２連結板６０とを備えている。第２連結板６０は、第１連結板５０とほぼ平行となるように接続されている。
【００２４】
第１連結板５０は、長さ１８．５ｃｍ、幅４ｃｍ、厚さ０．５ｃｍの板材であり、幅方向の上端側から１ｃｍ程度下がった位置に、長手方向に沿って形成された長孔５１を両端部に備えている。また、第２連結板６０は、長さ４ｃｍ、幅４ｃｍ、厚さ０．５ｃｍの板材であり、幅方向の上端側から１ｃｍ程度下がった位置に、長手方向に沿って形成された長孔６１を備えている。
【００２５】
第１部材１０と第１連結板５０は、把持部７１を備えた固定部材７０により着脱自在に連結されている。固定部材７０は、使用者が握る部分となる把持部７１と、第１部材１０と第１連結板５０を連結する連結部７２とを備えている。第１部材１０を第１連結板５０に対して垂直に立て、第１部材１０の長孔１１が第１連結板５０の長孔５１に交差するように配置し、連結部７２を、長孔１１および長孔５１に挿通することにより、第１部材１０と第１連結板５０とを連結することができる。
【００２６】
また、連結部７２は、把持部７１の回動により、第１部材１０と第１連結板５０とを締め付け固定したり緩めたりする固定部（図示せず）を有する。すなわち、把持部７１を第１連結板５０と平行となるように倒すことにより、連結部７２が第１部材１０と第１連結板５０とを締め付けて固定し、把持部７１を図１の前面側に引き起こすことにより、連結部７２は第１部材１０と第１連結板５０との締め付けを緩めることができる。
【００２７】
第２部材２０と第２連結板６０も同様に、固定部材７０により連結されている。第１部材１０および第２部材２０にそれぞれ形成された長孔１１，２１と、第１連結板５０および第２連結板６０にそれぞれ形成された長孔５１，６１と固定部材７０とで、第１部材１０間ならびに第２部材２０間の距離、それぞれの鉛直方向の高さ、および鉛直方向に対する角度を調整する調整部として機能する。
【００２８】
次に、図２を用いて第１部材１０ならびに第２部材２０の可動範囲について説明する。図２は、図１の骨盤観察用支持装置の可動範囲を示す図であり、（ａ）は第１部材、（ｂ）は第２部材の可動範囲を示す。
【００２９】
図２に示すように、本実施の形態における骨盤観察用支持装置１は、第１部材１０に長孔１１を設け、第１連結板５０に長孔５１を設けたことにより、第１部材１０は水平方向、鉛直方向にスライド移動することが可能となり、また、鉛直方向に対する角度も可変とすることができる。同様に、第２部材に長孔２１を設け、第２連結板６０に長孔６１を設けたことにより、第２部材２０も、水平方向、鉛直方向にスライド移動することが可能となり、また、鉛直方向に対する角度も可変とすることができる。
【００３０】
本実施の形態においては、第１部材１０は、水平方向（ｈ１）に５．５ｃｍ、鉛直方向（ｖ１）に２ｃｍ、また、最大で１３５度程度回動（θ１）することができる。また、第２部材２０は、水平方向（ｈ２）に２ｃｍ、鉛直方向（ｖ２）に２ｃｍ、また、最大で１６５度程度回動（θ２）することができる。
【００３１】
次に、本実施の形態における骨盤観察用支持装置１を用いて骨盤の形状を観察する方法について図３〜図６に基づいて説明する。図３は、骨盤の前面を観察する様子を示す図であり、（ａ）に示す平面図に対して、（ｂ）は左側面図、（ｃ）は正面図、（ｄ）は背面図、（ｅ）は斜視図である。図４は、骨盤の上面を観察する様子を示す図であり、（ａ）の平面図に対して、（ｂ）は左側面図、（ｃ）は正面図、（ｄ）は背面図、（ｅ）は斜視図である。なお、図３においては、通常の骨盤観察における上下前後左右の方向に合わせて骨盤が配置される状態となるように、第１部材１０を正面側にして骨盤観察用支持装置１を使用した状態を示している。
【００３２】
白骨化した死体の骨盤は、左右の仙腸関節と恥骨結合が離れており、仙骨と左右の寛骨の計３つに分離している状態である。そこで、まず、骨盤の前面を観察する場合には、図３に示すように、左右の寛骨の間に仙骨を挟んだ状態にし、骨盤を寝かせた状態で骨盤観察用支持装置１に配置する。このとき、寛骨の坐骨の後面上部（図３（ｂ）矢印Ａ）に第１部材１０の内側角部をそれぞれ当接させ、腸骨の後面下部（図３（ｅ）矢印Ｂ）に第２部材２０の内側角部をそれぞれ当接させた状態にして骨盤を挟持する。このように、第１部材１０および第２部材２０とで左右の寛骨の間に仙骨を挟んだ状態で挟持することにより、左右の仙腸関節（図３（ｄ）矢印Ｃ）と恥骨結合（図３（ａ）矢印Ｄ）とを生体内における骨盤の配置と同様の状態とすることができる。なお、骨盤の前面を観察する場合には、図３（ａ）に示すように、恥骨下角（矢印Ｅ）の形状を正しく把握することができ、この恥骨下角の形状から、性別を判定することができる。
【００３３】
ここで、上述したように、第１部材１０および第２部材２０はそれぞれ、水平方向、鉛直方向にスライド調整が可能であり、また、鉛直方向に対する角度も調整することができるので、観察する骨盤の大きさに合わせて、調整を行う。調整を行う際には、固定部材７０の把持部７１を引き起こし、位置ならびに角度を微調整した後に、把持部７１を元の位置に倒して第１部材１０と第１連結板５０、第２部材２０と第２連結板６０とをそれぞれ締め付け固定する。これにより、第１部材１０および第２部材２０とで骨盤を両側からしっかりと挟み込んだ状態とすることができ、観察途中で骨盤の仙腸関節と恥骨結合の結合部分が緩んだりばらばらになったりして、正確な形状が観察できなくなることを防ぐことができる。このように、把持部７１の操作のみで、第１部材１０と第１連結板５０とを、第２部材２０と第２連結板６０とを締め付け固定したり緩めたりすることができ、使用者にとって操作が容易で作業における負担を少なくすることができる。
【００３４】
次に、骨盤の上面を観察する場合には、図４に示すように、左右の寛骨の間に仙骨を挟んだ状態にし、骨盤を立てた状態（図４（ｂ）参照）で骨盤観察用支持装置１に配置する。このとき、第１部材１０は、腸骨の後面上部（図４（ｄ）矢印Ｇ）に第１部材１０の内側角部をそれぞれ当接させ、坐骨の後面上部（図４（ｅ）矢印Ｈ）に第２部材２０の内側角部をそれぞれ当接させた状態にして骨盤を挟持する。このように、第１部材１０および第２部材２０とで左右の寛骨の間に仙骨を挟んだ状態で挟持することにより、左右の仙腸関節（図４（ｃ）矢印Ｉ）と恥骨結合（図４（ｃ）矢印Ｊ）とを生体内における骨盤の配置と同様の状態とすることができる。なお、骨盤の上面を観察する場合には、図４（ａ）に示すように、骨盤上口（矢印Ｋ）の形状を正しく把握することができ、この骨盤上口の形状から、性別を判定することができる。
【００３５】
次に、左右の寛骨のうちどちらか一方が欠損している場合における観察方法について説明する。図５は、骨盤左側部欠損時の骨盤観察の様子を示す図であり、（ａ）の平面図に対して、（ｂ）は正面図である。図６は、骨盤右側部欠損時の骨盤観察の様子を示す図であり、（ａ）の平面図に対して、（ｂ）は正面図である。
【００３６】
図５に示すように、例えば、左側の寛骨が欠損している場合、右側の寛骨と仙骨のみで骨盤の形状を観察することになる。このとき、図３の場合と同様に、骨盤を寝かせた状態で骨盤観察用支持装置１に配置する。欠損していない右側の寛骨に対しては、図３の場合と同様に、第１部材１０を坐骨の後面上部に当接させ、第２部材２０を腸骨の後面下部に当接させた状態にする。そして、図５（ｂ）に示すように、図５の右側となるもう一方の第２部材２０の鉛直方向に対する角度および位置を調整して第２部材２０の先端側を装置内側に倒し、第２部材２０の先端を仙骨の後面上部（図５（ｂ）矢印Ｌ）に直接当接させる。これにより、右側の寛骨と仙骨との仙腸関節（図５（ｂ）矢印Ｍ）を生体内における骨盤の配置と同様の状態とすることができ、図５（ａ）に示すように、骨盤の恥骨下角の形状（矢印Ｎ）を正しく把握することができる。
【００３７】
なお、本実施の形態における第１部材１０は第１連結板５０に対して着脱可能に連結されているので、図５に示すように、寛骨が欠損している方の第１部材１０は、取り外して使用してもよい。これにより、作業の際に、使用していない第１部材１０に触れてしまって装置を倒してしまうなどの事故を未然に防ぐことができる。
【００３８】
また、図６に示すように、例えば、右側の寛骨が欠損している場合、左側の寛骨と仙骨のみで骨盤の形状を観察することになるが、この場合は、図４と同様に、骨盤を立てた状態で骨盤観察用支持装置１に配置し、欠損していない左側の寛骨に対して、第１部材１０を腸骨の後面上部に当接させ、第２部材２０を坐骨の後面上部に当接させた状態にする。そして、図６の左側となるもう一方の第１部材１０の鉛直方向に対する角度および位置を調整して第１部材１０の先端側を装置内側に倒し、第１部材１０の先端を仙骨の耳状面（図６（ｂ）矢印Ｐ）に直接当接させる。これにより、左側の寛骨と仙骨との仙腸関節（図６（ｂ）矢印Ｑ）を生体内における骨盤の配置と同様の状態とすることができ、図６（ａ）に示すように、骨盤上口の形状（矢印Ｒ）を正しく把握することができる。なお、この場合において、寛骨が欠損している方の第２部材２０は、図５の場合と同様に取り外して使用してもよい。
【００３９】
このように、本実施の形態における骨盤観察用支持装置１によれば、左右の仙腸関節と恥骨結合とを生体内における骨盤の配置と同様の状態とすることができ、骨盤上口や恥骨下角の形状を正しく把握して、性別を正確に判定することができる。また、骨盤観察用支持装置１を用いることにより、死体検案ならびに法医解剖において使用者は両手が空いた状態で骨盤を観察することができるので、他人の手を煩わせることなく様々な角度から骨盤の写真を撮ることもでき、死体検案ならびに法医解剖における作業の幅を広げることができる。
【００４０】
以上、本発明の実施の形態について説明してきたが、本発明は前記実施の形態に限定されるものではない。例えば、本実施の形態では、第１部材１０と第１連結板５０、第２部材２０と第２連結板６０とを締め付け固定したり緩めたりするために固定部材７０を用いたが、より安価で製造される装置とする場合には蝶ネジであってもよい。しかしながら、操作の容易性を確保するためには、固定部材７０を用いる方が望ましい。
【００４１】
また、本実施の形態では、第１部材１０および第２連結板はそれぞれ、第１連結板５０および第２連結板６０に対して、骨盤観察用支持装置１の前面側となる側に立設されているが、第１部材１０および第２部材２０の第１連結板５０および第２連結板６０に対する配置は、骨盤観察用支持装置１の後面側であっても、第１部材１０と第２部材２０とがそれぞれ前面側、後面側またはその逆の状態に配置されていてもよい。
【００４２】
さらに、本実施の形態では、第１部材１０および第２部材２０はそれぞれ板状部材で形成されていたが、棒状や、部材の先端に骨盤を弾性支持する弾性部材を取り付けたものなど、寛骨や仙骨に当接して骨盤を両側から挟持できるものであれば、どのようなものであってもよい。しかしながら、寛骨や仙骨などの曲面や凹凸が多い骨においては、平面部分が少ないことから、寛骨や仙骨に対してできるだけ小さい面積で当接できるものである方がよいので、角部を寛骨や仙骨に当接させることができる板状部材を用いる方が望ましい。また、板状部材を用いれば、第１部材１０と第１連結板５０とを面で接触させ、第２部材２０と第２連結板６０とを面で接触させることができるので、棒状部材を用いる場合と比較して、骨盤観察用支持装置１としての強度を持たせることができる。
【産業上の利用可能性】
【００４３】
本発明によれば、骨盤を生体内における配置と同様の配置とすることによって、骨盤上口や恥骨下角の形状を正しく把握することが可能な骨盤観察用支持装置として好適に用いることができる。また、本発明の骨盤観察用支持装置を用いることにより、骨盤の形状から性別を識別することができるので、死体検案ならびに法医解剖における個人識別方法として有用である。
【図面の簡単な説明】
【００４４】
【図１】本実施の形態における骨盤観察用支持装置の斜視図である。
【図２】図１の骨盤観察用支持装置の可動範囲を示す図であり、（ａ）は第１部材、（ｂ）は第２部材の可動範囲を示す図である。
【図３】骨盤の前面を観察する様子を示す図であり、（ａ）は平面図、（ｂ）は（ａ）の左側面図、（ｃ）は正面図、（ｄ）は背面図、（ｅ）は斜視図である。
【図４】骨盤の上面を観察する様子を示す図であり、（ａ）は平面図、（ｂ）は（ａ）の左側面図、（ｃ）は正面図、（ｄ）は背面図、（ｅ）は斜視図である。
【図５】骨盤左側部欠損時の骨盤観察の様子を示す図であり、（ａ）は平面図、（ｂ）は正面図である。
【図６】骨盤右側部欠損時の骨盤観察の様子を示す図であり、（ａ）は平面図、（ｂ）は正面図である。
【符号の説明】
【００４５】
１  骨盤観察用支持装置
１０  第１部材
２０  第２部材
３０  基台部
４０  側板
５０  第１連結板
６０  第２連結板
１１，２１，５１，６１  長孔
７０  固定部材
７１  把持部
７２  連結部
【図１】
2007325730.tif 000003
【図２】
2007325730.tif 000004
【図３】
2007325730.tif 000005
【図４】
2007325730.tif 000006
【図５】
2007325730.tif 000007
【図６】
2007325730.tif 000008